(57)【特許請求の範囲】
【請求項１】
股部を介して前後身頃部が連続し、該前後身頃部の両側脇部を重ね合わせて接着剤で固着し、かつ、胴回りの上端縁および両側の大腿部の付け根の脚回り端縁は、ゴムバンド等の保持部がなく、端始末不要の切断端とされた伸縮性素材からなるショーツであり、
前記胴回りの上端縁の左右外端点をＰ１、Ｐ２とし、最大幅部となる左右の前記脚回り端縁の外端点をＰ３、Ｐ４とし、前記Ｐ１とＰ３、Ｐ２とＰ４をそれぞれ結ぶ脇線ラインは互いに近接する傾斜線とし、該傾斜線は外端点Ｐ３とＰ４とを結ぶ水平線Ｓに対して７０度〜７５度の傾斜角度とし、かつ
前記胴回りの上端縁の前中心点Ｐ５から股部の最下端までの寸法Ｌ１に対して前記前中心点から前記水平線Ｓまでの寸法Ｌ２は、Ｌ２／Ｌ１が０．７〜０．９である股上の深い深履きタイプからなることを特徴とするショーツ。
【請求項２】
前記端始末不要の切断端とされた伸縮性素材は、熱融着弾性糸と添え糸とを編み立てた後に前記熱融着弾性糸を溶融してほつれ止め機能を付与した編地からなり、該伸縮性素材からなる前記ショーツの前記寸法Ｌ１が１８〜２８ｃｍ、前記Ｌ２が１５ｃｍ〜２２ｃｍ、前記Ｐ３とＰ４を結ぶ最大幅部は２５ｃｍ〜３０ｃｍである請求項１に記載のショーツ。
【発明の詳細な説明】
【技術分野】
【０００１】
本発明はショーツに関し、詳しくは端始末不要の伸縮性素材からなるショーツのずり下がりを防止するものである。
【背景技術】
【０００２】
従来のショーツは、前後身頃部の両側脇部や前後身頃部と股部とを縫着により結合すると共に、胴回りや大腿部の付け根周りの端縁に伸縮性テープ等を縫着して、各部の結合が殆ど縫着によりなされている。しかし、縫着部分が厚みを増してごろつき、肌触りが悪くなる等の問題がある。
【０００３】
前記問題を解決するために、実用新案登録第３１３６０９８号公報（特許文献１）では、端始末不要の伸縮性素材を用いたショーツが提案されている。具体的には、図３に示すように、ショーツ１の胴回り５や脚回り６を端始末不要の切断端とし、ショーツ１の前後身頃部２、３は股部４を介して連続させていると共に、前後身頃部２、３の両側脇部７は重ね合わせて熱可塑性樹脂フィルム８で接着されている。
【先行技術文献】
【特許文献】
【０００４】
【特許文献１】実用新案登録第３１３６０９８号公報
【発明の概要】
【発明が解決しようとする課題】
【０００５】
特許文献１のショーツは、縫着箇所がなく、前後身頃部の両側脇部も接着による接合で仕上がりが薄いため良好な肌触りが得られやすい。しかしながら、上端にゴムバンド等の保持部がないため、ショーツのずり下がりが生じやすいという問題がある。
なお、ショーツの上端が腰骨のすぐ上に位置する股上の浅いローライズショーツの場合には、ショーツの上端が腰骨でひっかかるため、ずり下がりをある程度抑えることができる。しかし、ローライズよりも股上が深い場合については、ショーツの上端が腰骨位置でしかとまらないため、ショーツがずり下がりやすくなる。
【０００６】
本発明は前記問題に鑑みてなされたものであり、ショーツの上端縁、足回り端縁を含めたショーツ端縁を端始末不要の伸縮性素材から形成し、ショーツ上端にゴムバンド等を取り付けていないショーツにおいて、特に股上の深いショーツのずり下がりを低減し、着用感を高めることを課題としている。
【課題を解決するための手段】
【０００７】
前記課題を解決するため、本発明は、股部を介して前後身頃部が連続し、該前後身頃部の両側脇部を重ね合わせて接着剤で固着し、かつ、胴回りの上端縁および両側の大腿部の付け根の脚回り端縁は、ゴムバンド等の保持部がなく、端始末不要の切断端とされた伸縮性素材からなるショーツであり、
前記胴回りの上端縁の左右外端点をＰ１、Ｐ２とし、最大幅部となる左右の前記脚回り端縁の外端点をＰ３、Ｐ４とし、前記Ｐ１とＰ３、Ｐ２とＰ４をそれぞれ結ぶ脇線ラインは互いに近接する傾斜線とし、該傾斜線は外端点Ｐ３とＰ４とを結ぶ水平線Ｓに対して７０度〜７５度の傾斜角度とし、かつ
前記胴回りの上端縁の前中心点Ｐ５から股部の最下端までの寸法Ｌ１に対して前記前中心点から前記水平線Ｓまでの寸法Ｌ２は、Ｌ２／Ｌ１が０．７〜０．９である股上の深い深履きタイプからなることを特徴とするショーツを提供している。
【０００８】
本発明のショーツは、前記のように、ショーツ上端縁の前中心点Ｐ５から股部の最下端までの寸法をＬ１、前記前中心点Ｐ５から前記水平線Ｓまでの寸法をＬ２としたとき、Ｌ２／Ｌ１が０．７〜０．９を満たす寸法としている。該寸法からなるショーツは上端縁から股部の最下端までの寸法が比較的長く、上端縁が腰骨より上方で、ウエストライン近くにある、股上の深い所謂深履きタイプとしている。
【０００９】
さらに、前記のように、ショーツ上端縁の左右脇線に位置する左右外端点Ｐ１、Ｐ２と、最大幅部となる左右の脚回り端縁の外端点Ｐ３、Ｐ４とをそれぞれ結ぶ脇線ライン（線分Ｐ１−Ｐ３、線分Ｐ２−Ｐ４）を互いに上方に向けて近接する傾斜線とし、前記外端点Ｐ３、Ｐ４を結ぶ水平線Ｓに対する前記傾斜線の傾斜角度を７０度〜７５度とし、上端に向かって比較的急傾斜させている。このように、上端寸法を狭くして急傾斜させると、人体はウエスト側から下腹部にかけて胴回り寸法を増大するため、寸法を狭くしたショーツの上端が寸法が増大する下方へとずり下がりにくくなる。よって、股上が深い深履きタイプのショーツで上端にバンド等の保持具を設けない場合に問題となるショーツのずり下がりを、ショーツの脇線の傾斜角度によりショーツのずり下がりを低減する機能を持たせて解消することができる。
前記傾斜線の水平線Ｓに対する傾斜角度が７５度を越えるとずり下がりが生じやすくなる一方、傾斜角度が７０度未満であると、下腹部の締め付けが強過ぎて着用感が悪化するおそれがある。
【００１０】
このように、本発明のショーツでは、上端縁にゴムバンド等の保持材を取り付けない端始末不要の伸縮性素材で形成して着用感を高めながら、該上端縁から股部の最下端までの寸法が比較的大きい深履きタイプとしても、左右脇線を上端に向けて急傾斜させることでずり下がりにくくすることができる。
【００１１】
また、本発明のショーツでは、前記Ｌ１を１８ｃｍ〜２８ｃｍ、Ｌ２を１５ｃｍ〜２２ｃｍ、前記Ｐ３とＰ４を結ぶ最大幅部を２５ｃｍ〜３０ｃｍとしていることが好ましい。
なお、市販されている汎用の端始末不要の伸縮性素材からなるショーツでは、全長Ｌ１は１６〜１７ｃｍで本発明のショーツより浅く、かつ、最大幅部の寸法は２９〜３３ｃｍで本発明のショーツより広くなっている。即ち、端始末不要の伸縮性素材からなる従来のショーツよりも深さを大きめに、かつ最大幅を小さめにとることにより、着用者に窮屈感を感じさせることなくずり下がりを防止することができ、中高年層でも快適に着用することができる。
なお、寸法Ｌ１を測定する際の終点である「股部の最下端」とは、着用時における股部の最下端を意味し、ショーツを平面状に配置した場合の股部の中央位置付近が前記「股部の最下端」に相当する。
【００１２】
本発明のショーツに用いられる端始末不要の伸縮性素材としては、特に限定されないが、熱融着弾性糸とそれ以外の糸を添え糸編により編成した後、ヒートセット加工により熱融着弾性糸を溶融してほつれ止め機能が付与された編地などが挙げられる。
【００１３】
前後身頃部の両側脇部を重ね合わせて固着する接着剤としては、特に限定されないが、フィルム状のホットメルト接着剤を重ね合わせ面の内面に介在させ、アイロン等でホットメルト接着剤を加熱、溶融した後、冷却、固化して前後身頃部の重ね合わせ面を固着することが好ましい。
【発明の効果】
【００１４】
前述したように、本発明によれば、端始末不要の伸縮性素材からなるショーツの上端縁の左右外端点Ｐ１、Ｐ２と、最大幅部となる左右の脚回り端縁の外端点Ｐ３、Ｐ４とをそれぞれ結ぶ脇線ライン（線分Ｐ１−Ｐ３、線分Ｐ２−Ｐ４）を互いに近接する傾斜線とし、前記外端点Ｐ３、Ｐ４を結ぶ水平線Ｓに対する前記傾斜線の傾斜角度を７０度〜７５度と規定しているため、前記Ｌ２／Ｌ１＝０．７〜０．９を満たす深履きタイプとしてもずり下がりを効果的に防止して着用感を高めることができる。
【図面の簡単な説明】
【００１５】
【図１】本実施形態のショーツを示す概略平面図である。
【図２】ショーツの内面側を示す概略展開図である。
【図３】従来例を示す図である。
【発明を実施するための形態】
【００１６】
以下、本発明の実施形態を図面を参照して説明する。
図１および図２は本実施形態のショーツを示している。
端始末不要の伸縮性素材からなる本実施形態のショーツ１０は、図１および図２に示すように、前身頃部１１、後身頃部１２および股部１３から形成し、前身頃部１１と後身頃部１２は股部１３を介して連続させていると共に、胴回りの上端縁Ｅ１および両側の大腿部の付け根の脚回り端縁Ｅ２を端始末不要の切断端としている。
【００１７】
図２のような裁断状態の生地において、股部１３の内面側に該股部１３より若干幅狭の当て布１５を配置し、当て布１５と股部１３とをホットメルト接着剤１４で固着している。本実施形態では股部１３と接触する当て布の周縁にフィルム状のホットメルト接着剤１４を介在させ、アイロン等で加熱加圧することでホットメルト接着剤１４を溶融させ、その後、冷却、固化して股部１３と当て布１５とを固着している。
【００１８】
さらに、前身頃部１１の両側脇部１１ａ、１１ｂおよび後身頃部１２の両側脇部１２ａ、１２ｂをそれぞれ重ね合わせると共に、重ね合わせた両側脇部１１ａ、１２ａ間および１１ｂ、１２ｂ間に前記ホットメルト接着剤１４をそれぞれ介在させ、前記股部１３と当て布１５との固着と同様の方法で、重ね合わせた両側脇部１１ａ、１２ａおよび１１ｂ、１２ｂをそれぞれ固着している。
【００１９】
前後身頃部１１、１２、股部１３および当て布１５に用いられる端始末不要の伸縮性素材としては、熱融着弾性糸とそれ以外の糸を添え糸編により編みたてた後、ヒートセット加工により熱融着弾性糸を溶融してほつれ止め機能が付与された編地を用いている。なお、編糸は綿、レーヨン、ポリエステル、ナイロン、キュプラなどが挙げられる。
【００２０】
図１に示す本実施形態のショーツ１０は、胴回りの上端縁Ｅ１の左右外端点をＰ１、Ｐ２とし、最大幅部となる左右の前記脚回り端縁の外端点をＰ３、Ｐ４としたとき、本実施形態では、Ｐ１とＰ３、Ｐ２とＰ４をそれぞれ結ぶ脇線ライン（線分Ｐ１Ｐ３、線分Ｐ２Ｐ４）を互いに上方に向けて近接する傾斜線とし、該傾斜線は外端点Ｐ３とＰ４とを結ぶ水平線Ｓに対して７０度〜７５度の傾斜角度としている。また、ショーツ１０の上端縁Ｅ１の前中心点Ｐ５から股部の最下端点Ｐ６までの寸法をＬ１、前記前中心点Ｐ５から前記水平線Ｓまでの寸法をＬ２としたとき、Ｌ１を２０ｃｍ〜２６ｃｍ、Ｌ２を１７ｃｍ〜１９ｃｍとし、Ｌ２／Ｌ１を０．７〜０．９としている。また、前記Ｐ３とＰ４を結ぶ最大幅Ｌ３を２５ｃｍ〜２９ｃｍとしている。なお、股部１３の最下端点Ｐ６は、ショーツ１０を平面上に配置したときの股部１３の中央位置としている。
【００２１】
前記のように、端始末不要の伸縮性素材からなるショーツ１０の上端縁の左右外端点Ｐ１、Ｐ２と、最大幅部となる左右の脚回り端縁の外端点Ｐ３、Ｐ４とをそれぞれ結ぶ脇線ライン（線分Ｐ１−Ｐ３、線分Ｐ２−Ｐ４）を互いに近接する傾斜線とし、前記外端点Ｐ３、Ｐ４を結ぶ水平線Ｓに対する前記傾斜線の傾斜角度を７０度〜７５度と規定しているため、Ｌ２／Ｌ１が０．７〜０．９である深履きタイプとしてもずり下がりを効果的に防止して着用感を高めることができる。
【００２２】
また、Ｌ１を２０ｃｍ〜２６ｃｍ、Ｌ２を１７ｃｍ〜１９ｃｍ、前記Ｐ３とＰ４を結ぶ最大幅Ｌ３を２５ｃｍ〜２９ｃｍとして、端始末不要の伸縮性素材からなる従来のショーツよりも、深さを大きく、かつ最大幅を小さめにとっているため、着用者に窮屈感を感じさせることなくずり下がりを防止することができる。
【００２３】
以下、実施例１、２および比較例１、２により、本発明を詳細に説明する。
［実施例１］
実施例１では、前記実施形態におけるショーツにおいて、端始末不要の伸縮性素材は、低融点ポリウレタン弾性糸とナイロン糸を添え糸編により編みたてた後、ヒートセット加工により低融点ポリウレタン弾性糸を溶融してほつれ止め機能が付与された編地とし、外端点Ｐ３、Ｐ４を結ぶ水平線Ｓに対する傾斜線（線分Ｐ１−Ｐ３、線分Ｐ２−Ｐ４）の傾斜角度を７５度とすると共に、Ｌ１を２０ｃｍ、Ｌ２を１７ｃｍ、Ｐ３とＰ４を結ぶ最大幅Ｌ３を２７ｃｍ、Ｌ２／Ｌ１を０．８５とした。
［実施例２］
実施例２では、前記実施形態におけるショーツにおいて、端始末不要の伸縮性素材は、低融点ポリウレタン弾性糸と綿糸を添え糸編により編みたてた後、ヒートセット加工により低融点ポリウレタン弾性糸を溶融してほつれ止め機能が付与された編地とし、外端点Ｐ３、Ｐ４を結ぶ水平線Ｓに対する傾斜線（線分Ｐ１−Ｐ３、線分Ｐ２−Ｐ４）の傾斜角度を７３度とすると共に、Ｌ１を２６ｃｍ、Ｌ２を１９ｃｍ、Ｐ３とＰ４を結ぶ最大幅Ｌ３を２９ｃｍ、Ｌ２／Ｌ１を０．７３とした。
【００２４】
［比較例１］
比較例１では、外端点Ｐ３、Ｐ４を結ぶ水平線Ｓに対する傾斜線（線分Ｐ１−Ｐ３、線分Ｐ２−Ｐ４）の傾斜角度を８３度とした点以外は実施例１と同様とした。
［比較例２］
比較例２では、外端点Ｐ３、Ｐ４を結ぶ水平線Ｓに対する傾斜線（線分Ｐ１−Ｐ３、線分Ｐ２−Ｐ４）の傾斜角度を６２度とした点以外は実施例１と同様とした。
【００２５】
実施例１、実施例２の深履きタイプのショーツでは、Ｌ２／Ｌ１を０．７〜０．９とし、かつ、外端点Ｐ３、Ｐ４を結ぶ水平線Ｓに対する傾斜線（線分Ｐ１−Ｐ３、線分Ｐ２−Ｐ４）の傾斜角度をそれぞれ７０度〜７５度の範囲内としているため、ずり下がりを効果的に防止して着用感を高めることができる。
一方、比較例１の深履きタイプのショーツでは、Ｌ２／Ｌ１を０．７〜０．９としても、外端点Ｐ３、Ｐ４を結ぶ水平線Ｓに対する傾斜線（線分Ｐ１−Ｐ３、線分Ｐ２−Ｐ４）の傾斜角度が７５度を超えているため、ずり下がりが生じて着用感が悪化した。また、比較例２の深履きタイプのショーツでは、Ｌ２／Ｌ１を０．７〜０．９としても、外端点Ｐ３、Ｐ４を結ぶ水平線Ｓに対する傾斜線（線分Ｐ１−Ｐ３、線分Ｐ２−Ｐ４）の傾斜角度が７０度未満であるため、下腹部の締め付けが強過ぎて着用感が悪化した。
【符号の説明】
【００２６】
１０  ショーツ
１１  前身頃部
１２  後身頃部
１３  股部
１４  ホットメルト接着剤
１５  当て布
Ｅ１  胴回りの上端縁
Ｅ２  大腿部の付け根の脚回り端縁
Ｐ１、Ｐ２  左右外端点
Ｐ３、Ｐ４  脚回り端縁の外端点
Ｐ５  前中心点
【図１】
0005745803.tif 000002
【図２】
0005745803.tif 000003
【図３】
0005745803.tif 000004